【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
コンピュータデバイスを使用して、心臓の調律障害の発生源の場所を特定する方法であって、前記コンピュータデバイスは、
第１の対の心臓信号を処理することによって、前記心臓の第１の領域における前記第１の対の信号の変動性に関連付けられている第１の変動性の係数を定義することと、
第２の対の心臓信号を処理することによって、前記心臓の第２の領域における前記第２の対の信号の変動性に関連付けられている第２の変動性の係数を定義することと、
前記第１の変動性の係数を前記第２の変動性の係数と比較することによって、前記調律障害の前記発生源に向かう方向を決定することと
を行う、方法。
【請求項２】
前記第１の対の心臓信号を処理することは、前記コンピュータデバイスが、１つ以上の第２の時点での第２の心臓信号に対して１つ以上の第１の時点での第１の心臓信号を処理し、前記第２の心臓信号に対する前記第１の心臓信号の１つ以上の座標対に基づいて、前記第１の変動性の係数を定義することを行う、請求項１に記載の方法。
【請求項３】
前記第２の対の心臓信号を処理することは、前記コンピュータデバイスが、１つ以上の第４の時点での第４の心臓信号に対して１つ以上の第３の時点での第３の心臓信号を処理し、前記第４の心臓信号に対する前記第３の心臓信号の１つ以上の座標対に基づいて、前記第２の変動性の係数を定義することを行う、請求項１に記載の方法。
【請求項４】
前記第１の心臓信号および前記第３の心臓信号は、共通信号を含む、請求項１に記載の方法。
【請求項５】
前記第１および第２の領域は、前記心臓の同一の領域である、請求項１に記載の方法。
【請求項６】
前記第１および第２の領域は、前記心臓の異なる領域である、請求項１に記載の方法。
【請求項７】
前記第１の変動性の係数および前記第２の変動性の係数のうちの少なくとも１つは、前記第１の対の心臓信号および前記第２の対の心臓信号のうちの少なくとも１つの間の信号タイミングの変動性および信号振幅の変動性のうちの少なくとも１つから決定される、請求項１に記載の方法。
【請求項８】
前記第１の変動性の係数および前記第２の変動性の係数のうちの少なくとも１つは、前記第１の対の心臓信号および前記第２の対の心臓信号のうちの少なくとも１つの間の信号形状の変動性から決定される、請求項１に記載の方法。
【請求項９】
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせから成る群より選択される１つ以上の方法によって決定される、請求項１に記載の方法。
【請求項１０】
前記変動性は、振幅、電圧、運動、方向、インピーダンス、コンダクタンス、および時間以外の別の寸法のうちの１つ以上におけるものである、請求項１に記載の方法。
【請求項１１】
前記変動性は、時間におけるものである、請求項１に記載の方法。
【請求項１２】
前記方法は、前記コンピュータデバイスが、
複数の心臓信号から前記第１の対の心臓信号および前記第２の対の心臓信号を反復して選択することであって、各反復して選択される対は、少なくとも１つの心臓信号が異なる、ことと、
各反復について各対から前記第１の反復して選択される信号および前記第２の反復して選択される信号を処理することにより、前記第１の変動性の係数および前記第２の変動性の係数をそれぞれ定義することと、
前記反復して選択される複数の対の心臓信号の変動性に関連付けられている係数の行列を構築することと、
前記係数の行列を使用して、前記調律障害の１つ以上の発生源を決定することと
をさらに行う、請求項１に記載の方法。
【請求項１３】
前記１つ以上の発生源を決定することは、前記コンピュータデバイスが、前記行列から、より低い変動性の係数の領域によって包囲されている、より高い変動性の係数に関連付けられている前記心臓の１つ以上の領域を識別することを行う、請求項１２に記載の方法。
【請求項１４】
前記調律障害の前記発生源は、より低い変動性の係数からより高い変動性の係数に向かう方向に位置する、請求項１に記載の方法。
【請求項１５】
コンピュータデバイスを使用して、心臓の調律障害の発生源の場所を特定する方法であって、前記コンピュータデバイスは、
１つ以上の第２の時点での第２の心臓信号に対して１つ以上の第１の時点での第１の心臓信号を処理することにより、前記第２の心臓信号に対する前記第１の心臓信号の１つ以上の座標対の変動性に関連付けられている第１の変動性の係数を定義することと、
１つ以上の第４の時点での第４の心臓信号に対して１つ以上の第３の時点での第３の心臓信号を処理することによって、前記第４の心臓信号に対する前記第３の心臓信号の１つ以上の座標対の変動性に関連付けられている第２の変動性の係数を定義することと、
前記調律障害の前記発生源に向かう方向を決定することであって、前記方向は、より低い変動性の係数からより高い変動性の係数への方向である、ことと
を行う、方法。
【請求項１６】
前記第１の変動性の係数および前記第２の変動性のうちの少なくとも１つは、信号タイミングの変動性および信号振幅の変動性のうちの少なくとも１つから決定される、請求項１５に記載の方法。
【請求項１７】
前記第１の変動性の係数および前記第２の変動性の係数のうちの少なくとも１つは、信号形状の変動性から決定される、請求項１５に記載の方法。
【請求項１８】
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせによって決定される、請求項１５に記載の方法。
【請求項１９】
前記変動性は、振幅、電圧、運動、方向、インピーダンス、コンダクタンス、および時間以外の別の寸法のうちの１つ以上におけるものである、請求項１５に記載の方法。
【請求項２０】
前記変動性は、時間におけるものである、請求項１５に記載の方法。
【請求項２１】
前記第１の心臓信号および前記第２の心臓信号は、同一の時点で発生する、請求項１５に記載の方法。
【請求項２２】
前記第３の心臓信号および前記第４の心臓信号は、同一の時点で発生する、請求項１５に記載の方法。
【請求項２３】
前記第１の心臓信号および前記第２の心臓信号は、それぞれ、第１の電圧時系列および第２の電圧時系列を表す、請求項１５に記載の方法。
【請求項２４】
心臓信号の処理は、前記コンピュータデバイスが、前記心臓信号の導関数を得ることをさらに行い、前記導関数は、ゼロ次導関数および高次の導関数のうちの１つである、請求項１５に記載の方法。
【請求項２５】
前記第１の変動性の係数は、前記第２の心臓信号の前記複数の座標対への前記第１の心臓信号の前記複数の座標対の変換によって決定される、請求項１５に記載の方法。
【請求項２６】
前記第２の変動性の係数は、前記第４の心臓信号の前記複数の座標対への前記第３の心臓信号の前記複数の座標対の変換によって決定される、請求項１５に記載の方法。
【請求項２７】
心臓の調律障害の発生源の場所を特定するシステムであって、前記システムは、少なくとも１つのコンピュータデバイスを備え、前記少なくとも１つのコンピュータデバイスは、
第１の対の心臓信号を処理することにより、前記心臓の第１の領域における前記第１の対の信号の変動性に関連付けられている第１の変動性の係数を定義することと、
第２の対の心臓信号を処理することにより、前記心臓の第２の領域における前記第２の対の信号の変動性に関連付けられている第２の変動性の係数を定義することと、
前記第１の変動性の係数を前記第２の変動性の係数と比較することにより、前記調律障害の前記発生源に向かう方向を決定することと
を行うように構成されている、システム。
【請求項２８】
前記少なくとも１つのコンピュータデバイスは、１つ以上の第２の時点での第２の心臓信号に対して１つ以上の第１の時点での第１の心臓信号を処理し、前記第２の心臓信号に対する前記第１の心臓信号の１つ以上の座標対に基づいて、前記第１の変動性の係数を定義するように構成されている、請求項２７に記載のシステム。
【請求項２９】
前記少なくとも１つのコンピュータデバイスは、１つ以上の第４の時点での第４の心臓信号に対して１つ以上の第３の時点での第３の心臓信号を処理し、前記第４の心臓信号に対する前記第３の心臓信号の１つ以上の座標対に基づいて、前記第２の変動性の係数を定義するように構成されている、請求項２７に記載のシステム。
【請求項３０】
前記第１の心臓信号および前記第３の心臓信号は、共通信号を含む、請求項２７に記載のシステム。
【請求項３１】
前記第１および第２の領域は、前記心臓の同一の領域である、請求項２７に記載のシステム。
【請求項３２】
前記第１および第２の領域は、前記心臓の異なる領域である、請求項２７に記載のシステム。
【請求項３３】
前記第１の変動性の係数および前記第２の変動性の係数のうちの少なくとも１つは、前記第１の対の心臓信号および前記第２の対の心臓信号のうちの少なくとも１つの間の信号タイミングの変動性および信号振幅の変動性のうちの少なくとも１つから決定される、請求項２７に記載のシステム。
【請求項３４】
前記第１の変動性の係数および前記第２の変動性の係数のうちの少なくとも１つは、前記第１の対の心臓信号および前記第２の対の心臓信号のうちの少なくとも１つの間の信号形状の変動性から決定される、請求項２７に記載のシステム。
【請求項３５】
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせから成る群より選択される１つ以上の方法によって決定される、請求項２７に記載のシステム。
【請求項３６】
前記変動性は、振幅、電圧、運動、方向、インピーダンス、コンダクタンス、および時間以外の別の寸法のうちの１つ以上におけるものである、請求項２７に記載のシステム。
【請求項３７】
前記変動性は、時間におけるものである、請求項２７に記載のシステム。
【請求項３８】
前記少なくとも１つのコンピュータデバイスは、
複数の心臓信号から前記第１の対の心臓信号および前記第２の対の心臓信号を反復して選択することであって、各反復して選択される対は、少なくとも１つの心臓信号が異なる、ことと、
各反復について各対から前記第１の反復して選択される信号および前記第２の反復して選択される信号を処理することにより、前記第１の変動性の係数および前記第２の変動性の係数をそれぞれ定義することと、
前記反復して選択される複数の対の心臓信号の変動性に関連付けられている係数の行列を構築することと、
前記係数の行列を使用して、前記調律障害の１つ以上の発生源を決定することと
を行うように構成されている、請求項２７に記載のシステム。
【請求項３９】
前記少なくとも１つのコンピュータデバイスは、前記行列から、より低い変動性の係数の領域によって包囲されている、より高い変動性の係数に関連付けられている前記心臓の１つ以上の領域を識別することにより、前記調律障害の１つ以上の発生源を決定するようにさらに構成されている、請求項３８に記載のシステム。
【請求項４０】
前記調律障害の前記発生源は、より低い変動性の係数からより高い変動性の係数に向かう方向に位置する、請求項２７に記載のシステム。
【請求項４１】
心臓の調律障害の発生源の場所を特定するシステムであって、前記システムは、少なくとも１つのコンピュータデバイスを備え、前記少なくとも１つのコンピュータデバイスは、
１つ以上の第２の時点での第２の心臓信号に対して１つ以上の第１の時点での第１の心臓信号を処理することにより、前記第２の心臓信号に対する前記第１の心臓信号の１つ以上の座標対の変動性に関連付けられている第１の変動性の係数を定義することと、
１つ以上の第４の時点での第４の心臓信号に対して１つ以上の第３の時点での第３の心臓信号を処理することにより、前記第４の心臓信号に対する前記第３の心臓信号の１つ以上の座標対の変動性に関連付けられている第２の変動性の係数を定義することと、
前記調律障害の前記発生源に向かう方向を決定することであって、前記方向は、より低い変動性の係数からより高い変動性の係数への方向である、ことと
を行うように構成されている、システム。
【請求項４２】
前記第１の変動性の係数および前記第２の変動性のうちの少なくとも１つは、信号タイミングの変動性および信号振幅の変動性のうちの少なくとも１つから決定される、請求項４１に記載のシステム。
【請求項４３】
前記第１の変動性の係数および前記第２の変動性の係数のうちの少なくとも１つは、信号形状の変動性から決定される、請求項４１に記載のシステム。
【請求項４４】
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせによって決定される、請求項４１に記載のシステム。
【請求項４５】
前記変動性は、振幅、電圧、運動、方向、インピーダンス、コンダクタンス、および時間以外の別の寸法のうちの１つ以上におけるものである、請求項４１に記載のシステム。
【請求項４６】
前記変動性は、時間におけるものである、請求項４１に記載のシステム。
【請求項４７】
前記第１の心臓信号および前記第２の心臓信号は、同一の時点で発生する、請求項４１に記載のシステム。
【請求項４８】
前記第３の心臓信号および前記第４の心臓信号は、同一の時点で発生する、請求項４１に記載のシステム。
【請求項４９】
前記第１の心臓信号および前記第２の心臓信号は、それぞれ、第１の電圧時系列および第２の電圧時系列を表す、請求項４１に記載のシステム。
【請求項５０】
前記少なくとも１つのコンピュータデバイスは、前記心臓信号の導関数を得ることによって前記心臓信号をさらに処理するようにさらに構成され、前記導関数は、ゼロ次導関数および高次の導関数のうちの１つである、請求項４１に記載のシステム。
【請求項５１】
前記第１の変動性の係数は、前記第２の心臓信号の前記複数の座標対への前記第１の心臓信号の前記複数の座標対の変換によって決定される、請求項４１に記載のシステム。
【請求項５２】
前記第２の変動性の係数は、前記第４の心臓信号の前記複数の座標対への前記第３の心臓信号の前記複数の座標対の変換によって決定される、請求項４１に記載のシステム。
【手続補正２】
【補正対象書類名】明細書
【補正対象項目名】００１３
【補正方法】変更
【補正の内容】
【００１３】
本発明は、例えば、以下を提供する：
（項目１）
心臓の調律障害の発生源の場所を特定する方法であって、前記方法は、
第１の対の心臓信号を処理することによって、前記心臓の第１の領域における前記第１の対の信号の変動性に関連付けられている第１の係数を定義することと、
第２の対の心臓信号を処理することによって、前記心臓の第２の領域における前記第２の対の信号の変動性に関連付けられている第２の係数を定義することと、
前記第１の変動性の係数を前記第２の変動性の係数と比較することによって、前記調律障害の前記発生源に向かう方向を決定することと
を含む、方法。
（項目２）
前記第１の対の心臓信号を処理することは、１つ以上の第２の時点での第２の心臓信号に対して１つ以上の第１の時点での第１の心臓信号を処理し、前記第２の心臓信号に対する前記第１の心臓信号の１つ以上の座標対に基づいて、前記第１の変動性の係数を定義することを含む、項目１に記載の方法。
（項目３）
前記第２の対の心臓信号を処理することは、１つ以上の第４の時点での第４の心臓信号に対して１つ以上の第３の時点での第３の心臓信号を処理し、前記第４の心臓信号に対する前記第３の心臓信号の１つ以上の座標対に基づいて、前記第２の変動性の係数を定義することを含む、項目１に記載の方法。
（項目４）
前記第１の心臓信号および前記第３の心臓信号は、共通信号を含む、項目１に記載の方法。
（項目５）
前記第１および第２の領域は、前記心臓の同一の領域である、項目１に記載の方法。
（項目６）
前記第１および第２の領域は、前記心臓の異なる領域である、項目１に記載の方法。
（項目７）
前記第１の変動性の係数および前記第２の変動性の係数のうちの少なくとも１つは、前記第１の対の心臓信号および前記第２の対の心臓信号のうちの少なくとも１つの間の信号タイミングの変動性および信号振幅の変動性のうちの少なくとも１つから決定される、項目１に記載の方法。
（項目８）
前記第１の変動性の係数および前記第２の変動性の係数のうちの少なくとも１つは、前記第１の対の心臓信号および前記第２の対の心臓信号のうちの少なくとも１つの間の信号形状の変動性から決定される、項目１に記載の方法。
（項目９）
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせから成る群より選択される１つ以上の方法によって決定される、項目１に記載の方法。
（項目１０）
前記変動性は、振幅、電圧、運動、方向、インピーダンス、コンダクタンス、および時間以外の別の寸法のうちの１つ以上におけるものである、項目１に記載の方法。
（項目１１）
前記変動性は、時間におけるものである、項目１に記載の方法。
（項目１２）
前記方法は、
複数の心臓信号から前記第１の対の心臓信号および前記第２の対の心臓信号を反復して選択することであって、各反復して選択される対は、少なくとも１つの心臓信号が異なる、ことと、
各反復について各対から前記第１の反復して選択される信号および前記第２の反復して選択される信号を処理することにより、前記第１の変動性の係数および前記第２の変動性の係数をそれぞれ定義することと、
前記反復して選択される複数の対の心臓信号の変動性に関連付けられている係数の行列を構築することと、
前記係数の行列を使用して、前記調律障害の１つ以上の発生源を決定することと
をさらに含む、項目１に記載の方法。
（項目１３）
前記１つ以上の発生源を決定することは、前記行列から、より低い変動性の係数の領域によって包囲されている、より高い変動性の係数に関連付けられている前記心臓の１つ以上の領域を識別することを含む、項目１２に記載の方法。
（項目１４）
前記調律障害の前記発生源は、より低い変動性の係数からより高い変動性の係数に向かう方向に位置する、項目１に記載の方法。
（項目１５）
心臓の調律障害の発生源の場所を特定する方法であって、前記方法は、
１つ以上の第２の時点での第２の心臓信号に対して１つ以上の第１の時点での第１の心臓信号を処理することにより、前記第２の心臓信号に対する前記第１の心臓信号の１つ以上の座標対の変動性に関連付けられている第１の係数を定義することと、
１つ以上の第４の時点での第４の心臓信号に対して１つ以上の第３の時点での第３の心臓信号を処理することによって、前記第４の心臓信号に対する前記第３の心臓信号の１つ以上の座標対の変動性に関連付けられている第２の係数を定義することと、
前記調律障害の前記発生源に向かう方向を決定することであって、前記方向は、より低い変動性の係数からより高い変動性の係数への方向である、ことと
を含む、方法。
（項目１６）
前記第１の変動性の係数および前記第２の変動性のうちの少なくとも１つは、信号タイミングの変動性および信号振幅の変動性のうちの少なくとも１つから決定される、項目１５に記載の方法。
（項目１７）
前記第１の変動性の係数および前記第２の変動性の係数のうちの少なくとも１つは、信号形状の変動性から決定される、項目１５に記載の方法。
（項目１８）
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせによって決定される、項目１５に記載の方法。
（項目１９）
前記変動性は、振幅、電圧、運動、方向、インピーダンス、コンダクタンス、および時間以外の別の寸法のうちの１つ以上におけるものである、項目１５に記載の方法。
（項目２０）
前記変動性は、時間におけるものである、項目１５に記載の方法。
（項目２１）
前記第１の心臓信号および前記第２の心臓信号は、同一の時点で発生する、項目１５に記載の方法。
（項目２２）
前記第３の心臓信号および前記第４の心臓信号は、同一の時点で発生する、項目１５に記載の方法。
（項目２３）
前記第１の心臓信号および前記第２の心臓信号は、それぞれ、第１の電圧時系列および第２の電圧時系列を表す、項目１５に記載の方法。
（項目２４）
心臓信号の処理は、前記心臓信号の導関数を得ることをさらに含み、前記導関数は、ゼロ次導関数および高次の導関数のうちの１つである、項目１５に記載の方法。
（項目２５）
前記第１の変動性の係数は、前記第２の心臓信号の前記複数の座標対への前記第１の心臓信号の前記複数の座標対の変換によって決定される、項目１５に記載の方法。
（項目２６）
前記第２の変動性の係数は、前記第４の心臓信号の前記複数の座標対への前記第３の心臓信号の前記複数の座標対の変換によって決定される、項目１５に記載の方法。
（項目２７）
心臓の調律障害の発生源の場所を特定するシステムであって、前記システムは、少なくとも１つのコンピュータデバイスを備え、前記少なくとも１つのコンピュータデバイスは、
第１の対の心臓信号を処理することにより、前記心臓の第１の領域における前記第１の対の信号の変動性に関連付けられている第１の係数を定義することと、
第２の対の心臓信号を処理することにより、前記心臓の第２の領域における前記第２の対の信号の変動性に関連付けられている第２の係数を定義することと、
前記第１の変動性の係数を前記第２の変動性の係数と比較することにより、前記調律障害の前記発生源に向かう方向を決定することと
を行うように構成されている、システム。
（項目２８）
前記少なくとも１つのコンピュータデバイスは、１つ以上の第２の時点での第２の心臓信号に対して１つ以上の第１の時点での第１の心臓信号を処理し、前記第２の心臓信号に対する前記第１の心臓信号の１つ以上の座標対に基づいて、前記第１の変動性の係数を定義するように構成されている、項目２７に記載のシステム。
（項目２９）
前記少なくとも１つのコンピュータデバイスは、１つ以上の第４の時点での第４の心臓信号に対して１つ以上の第３の時点での第３の心臓信号を処理し、前記第４の心臓信号に対する前記第３の心臓信号の１つ以上の座標対に基づいて、前記第２の変動性の係数を定義するように構成されている、項目２７に記載のシステム。
（項目３０）
前記第１の心臓信号および前記第３の心臓信号は、共通信号を含む、項目２７に記載のシステム。
（項目３１）
前記第１および第２の領域は、前記心臓の同一の領域である、項目２７に記載のシステム。
（項目３２）
前記第１および第２の領域は、前記心臓の異なる領域である、項目２７に記載のシステム。
（項目３３）
前記第１の変動性の係数および前記第２の変動性の係数のうちの少なくとも１つは、前記第１の対の心臓信号および前記第２の対の心臓信号のうちの少なくとも１つの間の信号タイミングの変動性および信号振幅の変動性のうちの少なくとも１つから決定される、項目２７に記載のシステム。
（項目３４）
前記第１の変動性の係数および前記第２の変動性の係数のうちの少なくとも１つは、前記第１の対の心臓信号および前記第２の対の心臓信号のうちの少なくとも１つの間の信号形状の変動性から決定される、項目２７に記載のシステム。
（項目３５）
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせから成る群より選択される１つ以上の方法によって決定される、項目２７に記載のシステム。
（項目３６）
前記変動性は、振幅、電圧、運動、方向、インピーダンス、コンダクタンス、および時間以外の別の寸法のうちの１つ以上におけるものである、項目２７に記載のシステム。
（項目３７）
前記変動性は、時間におけるものである、項目２７に記載のシステム。
（項目３８）
前記少なくとも１つのコンピュータデバイスは、
複数の心臓信号から前記第１の対の心臓信号および前記第２の対の心臓信号を反復して選択することであって、各反復して選択される対は、少なくとも１つの心臓信号が異なる、ことと、
各反復について各対から前記第１の反復して選択される信号および前記第２の反復して選択される信号を処理することにより、前記第１の変動性の係数および前記第２の変動性の係数をそれぞれ定義することと、
前記反復して選択される複数の対の心臓信号の変動性に関連付けられている係数の行列を構築することと、
前記係数の行列を使用して、前記調律障害の１つ以上の発生源を決定することと
を行うように構成されている、項目２７に記載のシステム。
（項目３９）
前記少なくとも１つのコンピュータデバイスは、前記行列から、より低い変動性の係数の領域によって包囲されている、より高い変動性の係数に関連付けられている前記心臓の１つ以上の領域を識別することにより、前記調律障害の１つ以上の発生源を決定するようにさらに構成されている、項目１２に記載のシステム。
（項目４０）
前記調律障害の前記発生源は、より低い変動性の係数からより高い変動性の係数に向かう方向に位置する、項目２７に記載のシステム。
（項目４１）
心臓の調律障害の発生源の場所を特定するシステムであって、前記システムは、少なくとも１つのコンピュータデバイスを備え、前記少なくとも１つのコンピュータデバイスは、
１つ以上の第２の時点での第２の心臓信号に対して１つ以上の第１の時点での第１の心臓信号を処理することにより、前記第２の心臓信号に対する前記第１の心臓信号の１つ以上の座標対の変動性に関連付けられている第１の係数を定義することと、
１つ以上の第４の時点での第４の心臓信号に対して１つ以上の第３の時点での第３の心臓信号を処理することにより、前記第４の心臓信号に対する前記第３の心臓信号の１つ以上の座標対の変動性に関連付けられている第２の係数を定義することと、
前記調律障害の前記発生源に向かう方向を決定することであって、前記方向は、より低い変動性の係数からより高い変動性の係数への方向である、ことと
を行うように構成されている、システム。
（項目４２）
前記第１の変動性の係数および前記第２の変動性のうちの少なくとも１つは、信号タイミングの変動性および信号振幅の変動性のうちの少なくとも１つから決定される、項目４１に記載のシステム。
（項目４３）
前記第１の変動性の係数および前記第２の変動性の係数のうちの少なくとも１つは、信号形状の変動性から決定される、項目４１に記載のシステム。
（項目４４）
前記第１の変動性の係数および前記第２の変動性の係数のうちの少なくとも１つは、標準偏差分析、周波数分析、エントロピー分析、相互相関分析、ランダム性分析、モンテカルロシミュレーション方法、カオスの定量化、他の複雑な統計分析、およびそれらの組み合わせによって決定される、項目４１に記載の方法。
（項目４５）
前記変動性は、振幅、電圧、運動、方向、インピーダンス、コンダクタンス、および時間以外の別の寸法のうちの１つ以上におけるものである、項目４１に記載のシステム。
（項目４６）
前記変動性は、時間におけるものである、項目４１に記載のシステム。
（項目４７）
前記第１の心臓信号および前記第２の心臓信号は、同一の時点で発生する、項目４１に記載のシステム。
（項目４８）
前記第３の心臓信号および前記第４の心臓信号は、同一の時点で発生する、項目４１に記載のシステム。
（項目４９）
前記第１の心臓信号および前記第２の心臓信号は、それぞれ、第１の電圧時系列および第２の電圧時系列を表す、項目４１に記載のシステム。
（項目５０）
前記少なくとも１つのコンピュータデバイスは、前記心臓信号の導関数を得ることによって前記心臓信号をさらに処理するようにさらに構成され、前記導関数は、ゼロ次導関数および高次の導関数のうちの１つである、項目４１に記載のシステム。
（項目５１）
前記第１の変動性の係数は、前記第２の心臓信号の前記複数の座標対への前記第１の心臓信号の前記複数の座標対の変換によって決定される、項目４１に記載のシステム。
（項目５２）
前記第２の変動性の係数は、前記第４の心臓信号の前記複数の座標対への前記第３の心臓信号の前記複数の座標対の変換によって決定される、項目４１に記載のシステム。
（項目５３）
心調律障害を治療する方法であって、前記方法は、
複数の心臓信号から複数の対の心臓信号を反復して選択することであって、各対は、第１の心臓信号および異なる第２の心臓信号を有する、ことと、
複数の第２の時点での前記異なる第２の心臓信号に対して複数の第１の時点での前記第１の心臓信号を処理することにより、各選択された対の前記異なる２の心臓信号に対して前記第１の心臓信号の複数の座標対を定義することと、
閾値を超える変動性の係数を決定することであって、前記変動性の係数は、各選択された対の前記第１の心臓信号および前記第２の心臓信号の間の前記複数の座標対から計算される、ことと、
各選択された対の変動性の係数の行列を構築することと、
互に関する前記反復して選択される複数の対の係数の行列を編成することと、
前記編成された係数の行列を使用して、前記心調律障害の１つ以上の発生源の場所を特定することと、
前記１つ以上の発生源における心臓組織を治療することにより、前記心調律障害を抑制または排除することと
を含む、方法。
（項目５４）
治療することは、切除、電気エネルギー、機械エネルギー、薬剤、細胞、遺伝子、および生物剤のうちの１つ以上を前記１つ以上の発生源における前記心臓組織に送達することを含む、項目５３に記載の方法。
本発明は、正常および不規則な心調律、ならびに神経学的発作、食道痙攣、膀胱の不安定性、過敏性腸症候群、および障害の原因（または発生源）の決定、診断、および／または治療を可能にするように生物学的信号を記録することができる、他の生物学的障害等の他の生物学的調律および調律障害を含む、種々の調律源を識別することに適用可能である。本発明は、任意のセンサ場所での信号の活性化の発現に依存せず、またはそれを計算せず、したがって、複雑な活性化パターンおよび複雑な変化する拍動信号を提供する、複雑な調律障害で特に有用である。それは特に、それらが適切に治療されることができるように、心調律の障害の原因を識別することにおいて有用である。